(57)【特許請求の範囲】
【請求項１】
身体の背中部に装着する身体冷却具において、
前記身体冷却具は、ドライアイスを内部に収納する中袋と、
前記中袋を内部に収納する保持袋と、
前記保持袋の外側にのみ備えられ、前記保持袋を身体側に押す押さえ板と、
前記押さえ板に接続され、身体に固定するための固定バンドと、
から構成されていることを特徴とする身体冷却具。
【請求項２】
前記中袋または前記保持袋の両方あるいはいずれか一方に、前記冷却材が身体に必要以上に密着することを防止するためのスペーサーを備えることを特徴とする請求項１に記載の身体冷却具。
【請求項３】
前記中袋は、糸状の合成樹脂をメッシュ状に織り込んで製造されたことを特徴とする請求項１または請求項２に記載の身体冷却具。
【請求項４】
前記保持袋は、身体側がメッシュ素材で構成され、外側が断熱素材で構成されていることを特徴とする請求項１から請求項３のいずれか一項に記載の身体冷却具。
【請求項５】
前記中袋は、ポリエチレンで製造されたことを特徴とする請求項３または請求項４に記載の身体冷却具。
【発明の詳細な説明】
【技術分野】
【０００１】
本発明は、加熱機器を扱う工場建屋内や夏季の屋外等の外気温の高い環境において作業者の身体を冷却する身体冷却具に関するものである。
【背景技術】
【０００２】
一般に外気温の高い環境での作業は、大量の発汗による脱水症状や熱中症を発症する危険性がある。特に近年は地球温暖化に伴い夏場の外気温の上昇が顕著となったため、従来に増して高温環境下での作業環境の確保が求められている。
【０００３】
そのため例えば作業服に電動式のファンを取り付けて、作業服内に強制的に外気を取り込み、身体を冷却するファン付きの作業服なども用いられている。
【０００４】
しかし工場によっては防爆エリアが設定されており、防爆の必要性から非防爆品の工場内持ち込みが制限されている。このような防爆エリアでは電動式ファンを用いることが出来ない。
【０００５】
ここで防爆対応の電動ファンを開発すればよいという意見もあるかもしれないが、防爆対応のモーターは相当の重量増加を伴うので、作業者が作業服に付けて使用するという方法は非現実的という難点がある。
【０００６】
そのため例えば特許文献１のような身体冷却具が提案されている。
【先行技術文献】
【特許文献】
【０００７】
【特許文献１】特開２０１９−５３３号公報
【発明の概要】
【発明が解決しようとする課題】
【０００８】
特許文献１によれば、ドライアイスの冷熱を利用して作業者の身体を冷却するので防爆エリアの工場等であっても使用が可能であり、作業者が脱水症状や熱中症を発症することを防止することが可能となる。
【０００９】
ドライアイスは大気圧下では約−７８．５℃で昇華するのでおおよそ３６℃から３７℃の身体との温度差が１００℃以上あり、夏場であっても効果的に身体を冷却することが可能であるためである。
【００１０】
しかし特許文献１に係る発明ではメッシュ生地層、ニット生地層、ラバー層の三層構造から構成されており、どの層も比較的柔らかい素材で構成されている。
【００１１】
そのため、特許文献１に係る身体冷却具を装着した作業者が椅子や壁にもたれかかった場合などでは、必要以上にドライアイスが身体に密着し、その結果凍傷を引き起こす原因となるという課題があった。
【００１２】
またドライアイスは粉状、粒状、固形状、とある程度自由に形状を形成することが可能であるが、粉状あるいは粒状のドライアイスでは作業者が動くことにより身体冷却具内のドライアイスが偏りを生じ、結果として身体を冷却する範囲の狭小化を招き、結果として冷却性能の低下と凍傷の発生を増大させるという課題があった。
【００１３】
本発明はこの課題に鑑み、ドライアイスを冷却材として用いながら、身体にドライアイスが必要以上密着することを防ぎ、かつ作業者が動いても冷却材が偏らず冷却性能が低下しないという身体冷却具を提供することを目的とする。
【課題を解決するための手段】
【００１４】
（１）  本発明に係る身体冷却具は、身体に装着する身体冷却具において、前記身体冷却具は、冷却材を内部に収納する中袋と、前記中袋を内部に収納する保持袋と、前記保持袋の外側に備えられた押さえ板と、前記押さえ板に接続され、身体に固定するための固定バンドと、から構成されていることを特徴とする。
【００１５】
（２）  本発明に係る身体冷却具は、（１）に記載の身体冷却具において、前記中袋または前記保持袋の両方あるいはいずれか一方に、前記冷却材が身体に必要以上に密着することを防止するためのスペーサーを備えることを特徴とする。
【００１６】
（３）  本発明に係る身体冷却具は、（１）または（２）に記載の身体冷却具において、前記中袋は、糸状の合成樹脂をメッシュ状に織り込んで製造されたことを特徴とする。
【００１７】
（４）  本発明に係る身体冷却具は、（１）から（３）のいずれかに記載の身体冷却具において、前記保持袋は、身体側が薄い断熱素材またはメッシュ素材で構成され、外側が断熱素材で構成されていることを特徴とする。
【００１８】
（５）  本発明に係る身体冷却具は、（３）または（４）に記載の身体冷却具において、前記中袋は、ポリエチレンで製造されたことを特徴とする。
【発明の効果】
【００１９】
（１）に記載の身体冷却具によれば、冷却材を中袋に収納することで安全かつ確実に保持袋に収納することが可能となる上に、保持袋を押さえ板で身体側に押すことで、冷却材の冷熱を身体に均一に伝えることが可能となる。
【００２０】
（２）に記載の身体冷却具によれば、スペーサーを備えることで冷却材と身体の必要以上の密着を防止し、身体への凍傷等の発生を防ぐことが可能となる。
【００２１】
（３）に記載の身体冷却具によれば、冷却材の低温でも低温脆化を起こしにくい合成樹脂を使用し、メッシュ状に織り込むことで劣化を防ぎながら高い冷熱の伝達性能を発揮することが可能となる。
【００２２】
（４）に記載の身体冷却具によれば、身体側に断熱性能の低い素材を用い、外側に断熱性能の高い素材を用いることで、冷却材の冷熱の放熱を防ぎ、高い身体の冷却性能を維持することが可能となる。
【００２３】
（５）に記載の身体冷却具によれば、中袋にポリエチレンを用いることで冷却材の冷熱に対しても高い耐性を発揮し、かつメッシュ状に織り込んでいるので高い通気性を有している。これにより身体冷却具の低温脆化による劣化を防ぎながら冷却材による身体の冷却効果を高めることが可能となる。
【図面の簡単な説明】
【００２４】
【図１】本発明に係る身体冷却具の第一実施形態の全体図である。
【図２】本発明に係る身体冷却具の第一実施形態の断面図である。
【図３】本発明に係る身体冷却具の装着状態の正面図である。
【図４】本発明に係る身体冷却具の装着状態の側面図である。
【図５】本発明に係る身体冷却具の第二実施形態の中袋の図である。
【図６】本発明に係る身体冷却具の第二実施形態の断面図である。
【発明を実施するための形態】
【００２５】
以下に添付図面を参照しながら本発明の好適な実施形態について説明する。かかる実施形態は発明の理解を容易とするための例示に過ぎず、特に断る場合を除き、本発明を限定するものではない。なお本明細書及び図面において実質的に同一の機能、構成を有する要素については同一の符号を付することにより重複説明を省略し、また本発明に直接関係のない要素は図示を省略する。
【００２６】
図１は本発明に係る身体冷却具１００の第一実施形態の全体図である。
【００２７】
身体冷却具１００は冷却材１０を内部に保持する中袋１２を備え、中袋１２は保持袋１４に収納されている。
【００２８】
この冷却材１０は身体を冷却するための冷熱を有する物、例えば水とゲル化剤で構成された保冷剤などでもよいが、身体の熱を効果的に冷却するためにはドライアイスを使用することが望ましい。
【００２９】
またドライアイスは、粉状、粒状、固形状のいずれでも使用することは可能だが、粉状あるいは粒状では作業者が動くたびに偏りが生じ、冷却性能の低下と同時に凍傷の危険性が増すので、板状に成形された固形状が望ましい。
【００３０】
中袋１２は冷却材１０の冷熱を効率的に身体に伝えるため、糸状の合成樹脂をメッシュ状に織り込んで製造されることが望ましい。
【００３１】
合成樹脂は糸状に形成されていても、基本的にプラスチックなのでメッシュ生地やラバー等に比べて硬い素材である。
【００３２】
そのため身体冷却具１００を装着した作業者が椅子や壁にもたれかかった場合でも、必要以上にドライアイスが身体に密着することを防ぎ凍傷を防止することが可能である。
【００３３】
またメッシュ状に織り込んで製造されることで通気性を確保することが可能となり、作業者の安全を確保しながら、同時に冷却性能も維持することが可能となる。
【００３４】
なお中袋１２に使用する素材は合成樹脂の中でもポリエチレンが望ましい。冷却材１０にドライアイスを使用した場合、ドライアイスの昇華温度（約−７８．５℃）でも低温脆化を起こしにくいためである。
【００３５】
中袋１２は保持袋１４に収納されており、この保持袋１４は、身体側が薄い断熱素材またはメッシュ素材で構成され、外側が断熱素材で構成されていることが望ましい。保持袋１４に求められる性能は、身体側には高い熱伝導性であり、外側には高い断熱性能であるためである。
【００３６】
保持袋１４は身体側の反対側、すなわち外側に押さえ板１６を備え、押さえ板１６には身体に身体冷却具１００を固定するための固定バンド１８を有している。固定バンド１８は身体冷却具１００を装着する作業者が自由に締め付けの程度を調節できるような機構を備えているがリュックサック等で使用されている一般的な機構であるので図示は省略する。
【００３７】
保持袋１４の身体側には作業者が着用する作業服に身体冷却具１００の上部を固定するためのスナップボタン２０が備えられている。作業者の着用する作業服には同様にスナップボタン２０が備えられているが図示は省略する。
【００３８】
なお図１では身体冷却具１００を身体に固定するためにスナップボタン２０が備えられているが、身体への身体冷却具１００の固定方法はこれらの方法に限定する必要はなく、例えばジッパー等を使用するなどの他の方法でもよい。
【００３９】
図２は本発明に係る身体冷却具１００の第一実施形態の断面図である。
【００４０】
身体冷却具１００はその中心に冷却材１０、その両外側に中袋１２、更にその両外側に保持袋１４を備え、更にその外側（身体側の反対側）に押さえ板１６を備えている。
【００４１】
図３は本発明に係る身体冷却具１００の装着状態の正面図であり、図４はその側面図である。
【００４２】
図３および図４に示すように、作業服３０を着用した作業者はその背中に身体冷却具１００を装着し、内部に冷却材１０を備えた保持袋１４を押さえ板１６で押さえることで、作業者が動いても冷却材１０の偏りを抑制し、冷却性能の低下を防止することが可能となる。
【００４３】
更に冷却材１０に、板状に形成されたドライアイスを使用することで作業者の背中を均一に冷却することが可能となる。また固定バンド１８は作業者が自由に締め付けの程度を調節できるので、作業者の好みに応じた冷却を実現することが可能である。
【００４４】
図５は本発明に係る身体冷却具１００の第二実施形態の中袋１２の図であり、図６はその断面図である。
【００４５】
第一実施形態に係る中袋１２との違いは身体側にスペーサー２２を備えている点である。このスペーサー２２はプラスチック素材の棒状であり、中袋の身体側に取り付けられている。
【００４６】
このスペーサー２２により、作業者が椅子にもたれかかった場合などでも冷却材１０が必要以上に作業者に密着することを防ぎ、更に凍傷の危険性を減らすことが可能となる。冷却材１０に板状に形成されたドライアイスを用いた場合であって中袋１２にスペーサー２２が備えられていれば、作業者の身体への凍傷の発生はほぼ防止することが可能となる。
【００４７】
なおスペーサー２２は図５では棒状であるが、冷却材１０が作業者に必要以上に密着することを防止でき、かつ適度な通気性が確保できればよいので例えば形状は格子状等でもよい。
【００４８】
以上、添付図面を参照しながら本発明の好適な実施形態について説明した。
【００４９】
当業者であれば、特許請求の範囲に記載された範囲内において、各種の変更例又は修正例に想到し得ることは明らかであり、それらについても当然に本発明の技術的範囲に属するものと了解される。
【産業上の利用可能性】
【００５０】
本発明は、加熱機器を扱う工場建屋内や夏季の屋外等の外気温の高い環境で作業者の身体を冷却する身体冷却具として利用することができる。
【符号の説明】
【００５１】
１０：冷却材、１２：中袋、１４：保持袋、１６：押さえ板、１８：固定バンド、２０：スナップボタン、２２：スペーサー、３０：作業服、１００：身体冷却具。
【要約】
【課題】ドライアイス等の冷熱を持つ冷却材を用いながら、作業者の身体に冷却材が必要以上密着することを防ぐことで凍傷の発生を防ぎ、かつ作業者が動いても冷却材が偏らず冷却性能が低下しないという身体冷却具を提供することを目的とする。
【解決手段】身体に装着する身体冷却具１００は、冷却材１０を内部に収納する中袋１２と、中袋１２を内部に収納する保持袋１４と、保持袋１４の外側に備えられた押さえ板１６と、押さえ板１６に接続され、身体に固定するための固定バンド１８と、から構成されている。これにより作業者を凍傷から守り、かつ高い身体冷却性能をもつ身体冷却具１００を提供する。
【選択図】図１【図１】
0006627089.tif 000002
【図２】
0006627089.tif 000003
【図３】
0006627089.tif 000004
【図４】
0006627089.tif 000005
【図５】
0006627089.tif 000006
【図６】
0006627089.tif 000007